(57)【要約】【課題】関連する表示要素をユーザーが認識しやすいように表示する。【解決手段】グラフィカルユーザーインターフェースを画面に表示させる表示制御部と、前記画面の表示内容に応じたユーザーの操作を受け付ける受付部と、を備え、前記表示制御部は、前記ユーザーの詳細化指示操作に応じて、一次表示要素を含む第一画面から、前記一次表示要素と関連する複数の二次表示要素を含む第二画面に切り替える場合に、前記第一画面と前記第二画面との間に、前記一次表示要素から前記複数の二次表示要素が生じる動きを表示させる。【選択図】図２
2016057731.tif 000002
【特許請求の範囲】
【請求項１】
グラフィカルユーザーインターフェースを画面に表示させる表示制御部と、
前記画面の表示内容に応じたユーザーの操作を受け付ける受付部と、を備え、
前記表示制御部は、
前記ユーザーの詳細化指示操作に応じて、一次表示要素を含む第一画面から、前記一次表示要素と関連する複数の二次表示要素を含む第二画面に切り替える場合に、前記第一画面と前記第二画面との間に、前記一次表示要素から前記複数の二次表示要素が生じる動きを表示させる、
電子機器。
【請求項２】
グラフィカルユーザーインターフェースを画面に表示させる表示制御部と、
前記画面の表示内容に応じたユーザーの操作を受け付ける受付部と、を備え、
前記表示制御部は、
前記ユーザーの簡易化指示操作に応じて、複数の二次表示要素を含む第二画面から、前記複数の二次表示要素に関連する一次表示要素を含む第一画面に切り替える場合に、前記第二画面と前記第一画面との間に、前記複数の二次表示要素から前記一次表示要素が生じる動きを表示させる、
電子機器。
【請求項３】
前記第一画面に含まれる前記一次表示要素は設定項目を示す操作対象部であり、前記第一画面には複数種類の設定項目に対応する複数の前記一次表示要素が含まれ、
前記第一画面において任意の前記一次表示要素に対して前記ユーザーが選択操作を行うと前記表示制御部は選択操作された前記一次表示要素が示す設定項目専用の設定ダイアログを表示させ、
前記設定ダイアログには、対応する前記設定項目に設定されるパラメーターの選択肢を示す複数の操作対象部としての表示要素が含まれ、
前記第二画面には、複数の前記一次表示要素のそれぞれと関連する複数組の前記複数の二次表示要素が含まれ、任意の組に属する前記複数の二次表示要素はそれぞれ、関連する前記一次表示要素に対応する前記設定ダイアログにおいて提示される前記選択肢と対応する操作対象部である、
請求項１または請求項２に記載の電子機器。
【請求項４】
前記第一画面には複数の前記一次表示要素が含まれ、
前記第二画面には前記複数の一次表示要素のそれぞれと関連する複数組の前記複数の二次表示要素が含まれ、
関連する前記一次表示要素と前記複数の二次表示要素とは共通の視覚的特徴を有し、前記共通の視覚的特徴は他の関連する前記一次表示要素と前記複数の二次表示要素とが有する視覚的特徴と互いに識別可能である、
請求項１〜請求項３のいずれかに記載の電子機器。
【請求項５】
グラフィカルユーザーインターフェースを画面に表示させる表示制御機能と、
前記画面の表示内容に応じたユーザーの操作を受け付ける受付機能と、をコンピューターに実現させるユーザーインターフェース制御プログラムであって、
前記表示制御機能は、
前記ユーザーの詳細化指示操作に応じて、一次表示要素を含む第一画面から、前記一次表示要素と関連する複数の二次表示要素を含む第二画面に切り替える場合に、前記第一画面と前記第二画面との間に、前記一次表示要素から前記複数の二次表示要素が生じる動きを表示させる、
ユーザーインターフェース制御プログラム。
【請求項６】
グラフィカルユーザーインターフェースを画面に表示させる表示制御機能と、
前記画面の表示内容に応じたユーザーの操作を受け付ける受付機能と、をコンピューターに実現させるユーザーインターフェース制御プログラムであって、
前記表示制御機能は、
前記ユーザーの簡易化指示操作に応じて、複数の二次表示要素を含む第二画面から、前記複数の二次表示要素に関連する一次表示要素を含む第一画面に切り替える場合に、前記第二画面と前記第一画面との間に、前記複数の二次表示要素から前記一次表示要素が生じる動きを表示させる、
ユーザーインターフェース制御プログラム。
【発明の詳細な説明】
【技術分野】
【０００１】
本発明は、電子機器、表示制御プログラムに関する。
【背景技術】
【０００２】
従来、プリンタードライバーのプロパティシートにおいて、初心者向けと非初心者向けとでプロパティシート内の表示態様を変える技術が知られている（例えば特許文献１）。
【先行技術文献】
【特許文献】
【０００３】
【特許文献１】特開２００８−７１３６９号公報
【発明の概要】
【発明が解決しようとする課題】
【０００４】
ところで、少数の表示要素が表示される画面から、当該表示要素のそれぞれと関連するより詳細な多数の表示要素が表示される画面に画面遷移する際に、一瞬で画面が切り替ってしまうと、遷移前の表示要素と遷移後の表示要素との関係が直観的にわかりづらいという問題があった。
本発明は、関連する表示要素をユーザーが認識しやすいように表示することを目的とする。
【課題を解決するための手段】
【０００５】
上記目的を達成するための電子機器は、グラフィカルユーザーインターフェースを画面に表示させる表示制御部と、前記画面の表示内容に応じたユーザーの操作を受け付ける受付部と、を備える。そして、前記表示制御部は、前記ユーザーの詳細化指示操作に応じて、一次表示要素を含む第一画面から、前記一次表示要素と関連する複数の二次表示要素を含む第二画面に切り替える場合に、前記第一画面と前記第二画面との間に、前記一次表示要素から前記複数の二次表示要素が生じる動きを表示させる。
【０００６】
第一画面から一瞬で第二画面に切り替わる場合、一次表示要素と複数の二次表示要素とが関連することをユーザーに認識させづらい。本発明では、第一画面から第二画面の間に、一次表示要素から二次表示要素が生じることを示す動きを表示することで、一次表示要素と二次表示要素との関連をユーザーに認識させやすくすることができる。
【０００７】
また、前記表示制御部は、前記ユーザーの簡易化指示操作に応じて、複数の二次表示要素を含む第二画面から、前記複数の二次表示要素に関連する一次表示要素を含む第一画面に切り替える場合に、前記第二画面と前記第一画面との間に、前記複数の二次表示要素から前記一次表示要素が生じる動きを表示させてもよい。
第二画面から第一画面までの間に、複数の二次表示要素から一次表示要素が生じることを示す動きを表示することで、二次表示要素と一次表示要素との関連をユーザーに認識させやすくすることができる。
【０００８】
さらに、上記目的を達成するための電子機器において、前記第一画面に含まれる前記一次表示要素は設定項目を示す操作対象部であり、前記第一画面には複数種類の設定項目に対応する複数の前記一次表示要素が含まれてもよい。また、前記第一画面において任意の前記一次表示要素に対して前記ユーザーが選択操作を行うと前記表示制御部は選択操作された前記一次表示要素が示す設定項目専用の設定ダイアログを表示させてもよい。前記設定ダイアログには、前記設定項目に設定されるパラメーターの選択肢を示す複数の操作対象部としての表示要素が含まれてもよい。前記第二画面には、複数の前記一次表示要素のそれぞれと関連する複数組の前記複数の二次表示要素が含まれ、任意の組に属する前記複数の二次表示要素はそれぞれ、関連する前記一次表示要素が示す設定項目専用の設定ダイアログにおいて提示される前記選択肢に対応する操作対象部であってもよい。
【０００９】
本構成によると、第一画面においてユーザーは設定項目を示す一次表示要素を選択操作することによって当該設定項目専用の設定ダイアログを表示させ、当該設定ダイアログでパラメーターの選択肢を示す表示要素を選択操作することができる。しかし、ユーザーが複数の設定項目に対してパラメーターの設定を行う場合、各一次表示要素を選択操作して設定ダイアログを表示させて当該設定ダイアログで選択肢を選択操作することを複数回繰り返す必要がある。本構成の場合、上記操作を繰りかえす方法の他に、複数の設定項目に対して設定を行う方法がある。第二画面には、複数の一次表示要素にそれぞれ対応する複数組の複数の二次表示要素が含まれる。すなわち、第一画面に一次表示要素Ａ１，Ｂ１が含まれ、第二画面にＡ１と関連する複数の二次表示要素Ａ２１〜Ａ２ｎが含まれるとともにＢ１と関連する複数の二次表示要素Ｂ２１〜Ｂ２ｍが含まれる。そのため、ユーザーは第二画面を表示させる操作（例えば詳細化指示操作）をするだけで第二画面において複数の設定項目に対する設定を行うことができる（操作回数を低減できる）。ユーザーは設定したい項目数に応じて、または、各人の好みに応じて、設定項目に対する設定のための上述の二種類の操作方法を選択することができる。なお、操作対象部とは、ユーザーの操作を受け付ける対象のＧＵＩ（Graphical User Interface）部品（例：ボタン、スイッチ等）を意味する。
【００１０】
さらに、上記目的を達成するための電子機器において、前記第一画面には複数の前記一次表示要素が含まれ、前記第二画面には前記複数の一次表示要素のそれぞれと関連する複数組の前記複数の二次表示要素が含まれ、関連する前記一次表示要素と前記複数の二次表示要素とは共通の視覚的特徴を有し、前記共通の視覚的特徴は他の関連する前記一次表示要素と前記複数の二次表示要素とが有する視覚的特徴と互いに識別可能であってもよい。
一次表示要素と当該一次表示要素に関連する複数の二次表示要素との組み合わせが複数存在し、任意の組み合わせにおいて共有される視覚的特徴は他の組み合わせにおいて共有される視覚的特徴と識別可能であることにより、関連する一次表示要素と複数の二次表示要素とをユーザーにさらに認識させやすくすることができる。
【００１１】
なお、本発明は上記内容を電子機器に実現させるユーザーインターフェース制御プログラムの発明としても成立する。
【図面の簡単な説明】
【００１２】
【図１】本発明の実施形態にかかるブロック図。
【図２】（２Ａ）〜（２Ｃ）は本発明の実施形態にかかる表示例を示す図。
【図３】（３Ａ）〜（３Ｂ）は本発明の実施形態にかかる表示例を示す図。
【図４】（４Ａ）〜（４Ｃ）は本発明の実施形態にかかる表示例を示す図。
【発明を実施するための形態】
【００１３】
以下、本発明の実施の形態を添付図面を参照しながら以下の順に説明する。尚、各図において対応する構成要素には同一の符号が付され、重複する説明は省略される。
１．第一実施形態：
１−１．構成：
図１は、本発明の実施形態にかかる電子機器としての多機能プリンター（ＭＦＰ）１の構成を示すブロック図である。ＭＦＰ１は、制御部１１、ユーザーＩ／Ｆ部１２、印刷部１３、画像読取部１４、通信Ｉ／Ｆ部１５等を備える。制御部１１は、ＣＰＵや不揮発性メモリやＲＡＭやＡＳＩＣ等からなり、不揮発性メモリに記録されたユーザーインターフェース制御プログラム等の各種プログラムをＣＰＵが実行することによってＭＦＰ１の各部を制御してＭＦＰ１の機能を実現することができる。ユーザーＩ／Ｆ部１２は、タッチパネルディスプレイ１２ａやキー入力部１２ｂ等を備える。キー入力部１２ｂには例えば、スタートキーや、上下キーや、ホームキーや、戻るキー等が含まれる。
【００１４】
制御部１１はユーザーインターフェース制御プログラムを実行することにより、タッチパネルディスプレイ１２ａに各種のグラフィカルユーザーインターフェースを表示し、タッチパネルディスプレイ１２ａの表示内容に応じてなされたタッチパネルディスプレイ１２ａやキー入力部１２ｂに対するユーザーの操作を受け付けることができる。ユーザーインターフェース制御プログラムを実行することにより制御部１１は「表示制御部」および「受付部」として機能する。
【００１５】
印刷部１３は、インクジェット方式、電子写真方式など周知の印刷方式で写真紙・普通紙・ＯＨＰシートなどの印刷媒体に印刷を実行するためのアクチュエーターやセンサーや駆動回路や機械部品を備えている。画像読取部１４は、原稿台に載置された原稿に発光し原稿からの反射光をＲＧＢの各色に分解してスキャン画像データとする周知のカラーイメージセンサーや、原稿を搬送するためのアクチュエーターや駆動回路や機械部品を備えている。通信Ｉ／Ｆ部１５は、外部機器と有線または無線で通信するための各種の通信インターフェースを含む。
【００１６】
１−２．画面遷移：
次に、ＭＦＰ１におけるメニュー画面の画面遷移について図２〜図４を参照しながら説明する。図２〜図４は、ＭＦＰ１のコピーモードが選択された場合にタッチパネルディスプレイ１２ａに表示されるメニュー画面を示している。図示しないホーム画面がタッチパネルディスプレイ１２ａに表示されている状態でコピーモードを示す表示要素をユーザーがタップしてコピーモードを選択すると、制御部１１は図２Ａの画面１００をタッチパネルディスプレイ１２ａに表示させる。画面１００には、用紙トレイ設定ボタン１００ａ、カラーモード設定ボタン１００ｂ、倍率選択ボタン１００ｃ、コピー面設定ボタン１００ｄ、スライダーＳが含まれる。また、画面１００には、ユーザーに対する案内文Ｔ１や、ユーザーが上下キー等を用いて入力したコピー部数Ｔ２も表示されている。なお本実施形態において「ボタン」と称される表示要素は、ユーザーが操作対象とするＧＵＩ部品（操作対象部）の一種である。
【００１７】
画面１００において表示される４つのボタン１００ａ〜１００ｄはそれぞれ、コピーモードにおける設定項目の一部である。これら４つ以外にもコピーモードにおける設定項目は存在するが、コピーモードが選択された場合に最初に表示される画面１００においてはこの４つが表示される。画面１００において表示されるこれらの設定項目は、コピーモードにおける全ての設定項目のうち例えば使用頻度が高いことが想定される項目である。ボタン１００ａ〜１００ｄを示す矩形の図形内にはそれぞれ、１行目に設定項目の名称が表示され、２行目に各設定項目に現在設定されているパラメーターが表示される。例えばカラーモード設定ボタン１００ｂには、カラーモードとして「白黒」が設定されていることを示している。
【００１８】
また、画面１００において表示されている４つのボタン１００ａ〜１００ｄはそれぞれ、ユーザーがタップ（選択操作）することによって当該ボタンに対応する設定項目専用の設定ダイアログを表示するためのボタンとして機能する。例えば画面１００が表示されている状態で、ユーザーがカラーモード設定ボタン１００ｂをタップすると、制御部１１は図３Ａに示すカラーモード設定ダイアログ１０１を表示させる。
【００１９】
カラーモード設定ダイアログ１０１では、カラーモードとして設定するパラメーターの選択肢を示すボタン１０１ａ〜１０１ｆが表示される。パラメーターの選択肢を示すボタン１０１ａ〜１０１ｆのいずれかがユーザーに選択された後にＯＫボタン１０１ｇが選択されると、制御部１１は選択されたパラメーターをカラーモードのパラメーターとして設定し元の画面１００をタッチパネルディスプレイ１２ａに表示させる。カラーモード設定ダイアログ１０１においてキャンセルボタン１０１ｈが選択されると、制御部１１はカラーモード設定ダイアログ１０１においてのパラメーター選択を無効にし、元の画面１００を表示させる。なお設定ダイアログは図３Ａに示すようなタッチパネルディスプレイ１２ａの全面に表示される形態に限定されず、第一画面の一部に重なるように表示される形態であってもよい。例えば設定ダイアログは設定項目を示すボタンが選択操作されると当該ボタン近傍に表示されるドロップダウンリストとして実現されてもよい。
【００２０】
図２Ａの画面１００の説明に戻る。画面１００に表示されているスライダーＳは、タッチパネルディスプレイ１２ａの上下方向に延びるトラックＳ１と、トラックＳ１に沿ってスライドするハンドルＳ２と、を含む。ユーザーはハンドルＳ２に指等でタッチした状態で指等をトラックＳ１が伸びる上下方向に滑らせることで、ハンドルＳ２をトラックＳ１に沿ってスライドさせることができる。ユーザーがハンドルＳ２から指等を離した場合にハンドルＳ２がトラックＳ１上で停止可能な位置は本実施形態においては位置Ｐ１〜Ｐ６の６か所である。
【００２１】
ユーザーがハンドルＳ２を位置Ｐ１から位置Ｐ２にスライドさせると、制御部１１は図２Ｃに示す画面１０３をタッチパネルディスプレイ１２ａに表示させる。なお、本実施形態においては、ハンドルＳ２を下方向にスライドさせる操作が「詳細化指示操作」に相当し、ハンドルＳ２を上方向にスライドさせる操作が「簡易化指示操作」に相当する。図２Ｂに示す画面１０２は、ハンドルＳ２を位置Ｐ１から位置Ｐ２にスライドさせている途中に、画面１００において表示されていたボタン１００ａ〜１００ｄが、位置や大きさやボタン数を変化させて、画面１０３のボタン１０３ａ・１０３ｃおよびボタン群１０３ｄ・１０３ｂを表示する動きを説明するための図である。画面１０２において破線で示されハッチングが施された４つの矩形形態の図形は画面１００において表示されていた４つのボタン１００ａ〜１００ｄである（ボタン１００ａ〜１００ｄを、ボタン１０３ａ・１０３ｃおよびボタン群１０３ｄ・１０３ｂと区別しやすくするためにハッチングを施したのであって実際にハッチングが施されて表示される訳ではない）。矢印は矩形形態のボタンの左上端部と右下端部の移動軌跡を示している。なお、矢印が実際にタッチパネルディスプレイ１２ａに表示される訳ではない。ハンドルＳ２についてはそのままの形状でトラックＳ１の延びる方向に平行移動するため一本の矢印で示している。
【００２２】
制御部１１は、ハンドルＳ２が位置Ｐ１から位置Ｐ２にスライドされる過程で、用紙トレイ設定ボタン１００ａを左上に移動させつつ矩形形態を維持したまま小さく変形させ文字も縮小させ、ハンドルＳ２が位置Ｐ２に位置した際に用紙トレイ設定ボタン１０３ａを表示する。また制御部１１は、倍率選択ボタン１００ｃも左上に移動させつつ矩形形態を維持したまま小さく変形させ文字も縮小させ、ハンドルＳ２が位置Ｐ２に位置した際に倍率選択ボタン１０３ｃを表示する。画面１０３における用紙トレイ設定ボタン１０３ａおよび倍率選択ボタン１０３ｃは位置と大きさが画面１００と異なるが、画面１００の用紙トレイ設定ボタン１００ａおよび倍率選択ボタン１００ｃと同様の機能を有するボタンである。すなわち用紙トレイ設定ボタン１０３ａおよび倍率選択ボタン１０３ｃも選択操作されると対応する設定項目の設定ダイアログを表示する機能を有する。
【００２３】
制御部１１は、ハンドルＳ２が位置Ｐ１から位置Ｐ２にスライドされる過程で、カラーモード設定ボタン１００ｂをボタン群１０３ｂの位置に重なるように移動させつつフェードアウトさせるとともに、その移動過程においてボタン群１０３ｂをフェードインさせる。その結果、ハンドルＳ２が位置Ｐ２に位置した際に図２Ｃに示すようにカラーモード設定ボタン１００ｂは消えてなくなりカラーモード選択肢ボタン群１０３ｂが代わりに表示される。ユーザーには、カラーモード設定ボタン１００ｂが分裂してボタン群１０３ｂが生じたような印象を抱かせることができる。カラーモード選択肢ボタン群１０３ｂは、画面１０３において白黒ボタン１０３ｂ１とフルカラーボタン１０３ｂ２とから構成される。白黒ボタン１０３ｂ１とフルカラーボタン１０３ｂ２とは、設定項目としてのカラーモードに設定されうるパラメーターの選択肢の一部である。画面１０３においてこれらのボタンのいずれかをユーザーがタップ（選択操作）すると、制御部１１はカラーモードのパラメーターとして選択された白黒またはカラーのいずれかを設定する。
【００２４】
また制御部１１は、ハンドルＳ２が位置Ｐ１から位置Ｐ２にスライドされる過程で、コピー面設定ボタン１００ｄをボタン群１０３の位置に向かって移動させつつフェードアウトさせ、その移動過程でボタン群１０３をフェードインさせる。その結果、ハンドルＳ２が位置Ｐ２に位置した際に図２Ｃに示すように、コピー面設定ボタン１００ｄは消えてなくなりコピー面選択肢ボタン群１０３ｄが代わりに表示される。ユーザーにはボタン１００ｄが分裂して複数のボタンからなるボタン群１０３ｄが生じたような印象を抱かせることができる。コピー面選択肢ボタン群１０３ｄは「片面→片面」ボタン１０３ｄ１と「片面→両面」ボタン１０３ｄ２と「両面→両面」ボタン１０３ｄ３とから構成される。ボタン１０３ｄ１〜１０３ｄ３は、設定項目としての「片面／両面選択」に設定されうるパラメーターの選択肢である。
【００２５】
画面１００が表示されている状態でユーザーは各ボタン１００ａ〜１００ｄをタップしてそれぞれの設定ダイアログを表示させ、設定ダイアログ上で設定項目のパラメーターを選択してまた元の画面１００に戻ることを繰り返して各種の設定をすることもできるが、上述したように画面１００が表示されている状態でユーザーはハンドルＳ２を位置Ｐ２にスライドする操作を行うだけで、複数の設定項目（この場合２つの設定項目）に対応するパラメーターの選択肢を表示させることができる。そしてユーザーは画面１０３上でパラメーターの選択を行うことができるので、ユーザーの操作回数を低減できるという点において使い勝手が向上する。一方で複数の設定項目が一度のスライド操作で展開する（複数の選択肢が提示される）場合、すなわち画面１００から画面１０３に切り替わる場合に、仮に一瞬で切り替わったとすると、どの設定項目が展開されて選択肢が表示されることになったのかユーザーは理解しづらい。そこで本実施形態では、画面１００が表示されている状態から画面１０３が表示される状態に切り換える場合に、一瞬で切り替えるのではなく各表示要素が移動したり変形したりボタン数を増加させる過程の動きを表示することによって、画面１００と画面１０３との間で設定項目と当該設定項目に対応する選択肢とをユーザーに認識させやすくすることができる。
【００２６】
なお、画面１００を「第一画面」、画面１０３を「第二画面」とすると、コピー面設定ボタン１００ｄおよびカラーモード設定ボタン１００ｂは「一次表示要素」に相当する。そしてコピー面選択肢ボタン群１０３ｄを構成する各ボタン１０３ｄ１〜１０３ｄ３はコピー面設定ボタン１００ｄと関連する「複数の二次表示要素」に相当し、カラーモード選択肢ボタン群１０３ｂを構成する各ボタン１０３ｂ１〜１０３ｂ２はカラーモード設定ボタン１００ｂと関連する「複数の二次表示要素」に相当する。
【００２７】
また本実施形態においては、「用紙トレイ」設定ボタン１００ａの矩形内の文字部分以外の背景色は黄色であり、「用紙トレイ」設定ボタン１０３ａの背景色も黄色である。「カラーモード」設定ボタン１００ｂの背景色は緑色であり、カラーモード選択肢ボタン群１０３ｂの背景色も緑色である。「倍率選択」ボタン１００ｃの背景色は水色であり、「倍率選択」ボタン１０３ｃの背景色も水色である。コピー面設定ボタン１００ｄの背景色はピンク色であり、コピー面選択肢ボタン群１０３ｄの背景色もピンク色である。このように、関連するボタンの組において背景色を同じにし他の組のボタンの背景色とは異なる色とすることにより、画面が切り替わっても切り換え前の画面と切り換え後の画面とで関連するボタンをユーザーに認識させやすいという効果がある。
【００２８】
なお、画面１０３にはさらに、画面１００には表示されていなかった表示要素が新たにフェードインして表示される。制御部１１は、画面１００で表示させていた４つのボタン１００ａ〜１００ｄにそれぞれ関連するボタンまたはボタン群が上方に移動して表示させたことに伴って空いた領域に新たなボタンが生まれるように表示させる。制御部１１が新たに出現するように表示させたのは、印刷の濃さを調整するスライダーおよびボタンからなる濃度調整部品１０３ｅ、割付設定ボタン１０３ｆ、仕上げ設定ボタン１０３ｇである。これらもコピーモードにおける設定項目に相当する。なお、濃度調整部品１０３ｅ、割付設定ボタン１０３ｆ、仕上げ設定ボタン１０３ｇも背景色にはそれぞれ他のボタンまたはボタン群と異なる色が採用される。以降の画面遷移においても、設定項目ごとの色分けは引き続き適用される。
【００２９】
なお、ユーザーがハンドルＳ２を位置Ｐ２から位置Ｐ１にスライドさせた場合は、スライドしている過程で、画面１００から画面１０３に切り替わる場合の上述した動きと逆の動きが表示される。すなわち制御部１１は、濃度調整部品１０３ｅと割付設定ボタン１０３ｆと仕上げ設定ボタン１０３ｇとをフェードアウトさせ、図２Ｂに示す矢印の逆向きに用紙トレイ設定ボタン１０３ａおよび倍率選択ボタン１０３ｃが移動させながらフェードアウトさせるとともにその移動過程において用紙トレイ設定ボタン１００ａおよび倍率選択ボタン１００ｃをフェードインさせる。また制御部１１は、コピー面選択肢ボタン群１０３ｄおよびカラーモード選択肢ボタン群１０３ｂを図２Ｂの矢印と逆方向に移動させつつフェードアウトさせ、その移動過程においてコピー面設定ボタン１００ｄおよびカラーモード設定ボタン１００ｂをフェードインさせる。このように画面１０３から画面１０２に切り替える際に表示要素の移動や要素数の減少する過程を表示することにより関連するボタンをユーザーに認識させやすいという効果がある。
【００３０】
続いて、画面１０３が表示されている状態からユーザーがハンドルＳ２を位置Ｐ３へスライドさせる場合、制御部１１はスライドさせている途中で表示要素の位置や形状や要素数を変化させ、ハンドルＳ２が位置Ｐ３に到達した際に図３Ｂに示す画面１０５を表示させる。具体的には制御部１１はカラーモード選択肢ボタン群１０３ｂの左辺を右側に徐々に移動させることによって横幅が狭く変形させ、カラーモード選択肢ボタン群１０５ｂを表示させる。制御部１１はコピー面選択肢ボタン群１０３ｄを右側に移動させつつ横幅を狭めてコピー面選択肢ボタン群１０３ｄを表示させる。制御部１１は用紙トレイ設定ボタン１０３ａを右側に移動させながら横幅を狭めることによって用紙トレイ設定ボタン１０５ａを表示させる。濃度調整部品１０３ｅ、割付設定ボタン１０３ｆ、仕上げ設定ボタン１０３ｇについても制御部１１は右側へ移動させながら大きさを小さくさせることによって濃度調整部品１０５ｅ、割付設定ボタン１０５ｆ、仕上げ設定ボタン１０５ｇを表示させる。
【００３１】
画面１０３から画面１０５に切り替える際に制御部１１は、倍率選択ボタン１０３ｃから倍率設定ボタン群１０５ｃが生じることを示す動きを表示させる。具体的には制御部１１は、倍率選択ボタン１０３ｃをボタン群１０５ｃの領域に重なるように変形および移動させつつフェードアウトさせるとともにその過程において倍率選択肢ボタン群１０５ｃ２〜１０５ｃ６をフェードインさせ、ボタン群１０５ｃ２〜１０５ｃ６の上方に倍率調整部品１０５ｃ１をフェードインさせる。倍率選択肢ボタン群１０５ｃ２〜１０５ｃ６は倍率選択の設定項目に対するパラメーターである。倍率調整部品１０５ｃ１は、現在設定されている倍率を表示する領域と倍率を微調整する＋ボタンおよび−ボタンとから構成され、ユーザーは当該部品を用いてさらに細かく倍率設定することが可能である。このように倍率選択ボタン１０３ｃから倍率設定ボタン群１０５ｃが生じることを示す動きを表示することで、倍率選択ボタン１０３ｃと倍率設定ボタン群１０５ｃとが関連することをユーザーに認識させやすい。なお、画面１０３を「第一画面」、画面１０５を「第二画面」とすると、倍率選択ボタン１０３ｃは「一次表示要素」に相当し、倍率設定ボタン群１０５ｃは「複数の二次表示要素」に相当する。
【００３２】
続いてユーザーがハンドルＳ２を位置Ｐ３から位置Ｐ４にスライドさせると、スライドさせている途中で制御部１１は画面１０５の表示要素を徐々に変化させ、図４Ａに示す画面１０６を表示させる。具体的には制御部１１は、用紙トレイ設定ボタン１０５ａをボタン群１０６ａの領域と重なるように変形（上下方向の長さを長くするように変形）させつつフェードアウトさせ、その過程においてボタン群１０６ａをフェードインさせることにより、画面１０６において用紙トレイ設定ボタン１０６ａの代わりに用紙トレイ選択肢ボタン群１０６ａを表示させる。用紙トレイ選択肢ボタン群１０６ａは、設定項目としての用紙トレイに対応するパラメーターの選択肢である。制御部１１は濃度調整部品１０５ｅを右側に移動させ濃度調整部品１０６ｅを表示させ、仕上げ設定ボタン１０５ｇを上方に移動させ仕上げ設定ボタン１０６ｇを表示させ、割付設定ボタン１０５ｆを右側に移動させ割付設定ボタン１０６ｆを表示させる。制御部１１は倍率設定ボタン群１０６ｃについては、レイアウトに合わせてサイズ等を微調整する以外は倍率設定ボタン群１０５ｃから変化させない。
【００３３】
続いてユーザーがハンドルＳ２を位置Ｐ４から位置Ｐ５にスライドさせると、スライドさせている途中で制御部１１は画面１０６の表示要素を徐々に変化させ、図４Ｂに示す画面１０７を表示させる。具体的には、制御部１１はコピー面選択肢ボタン群１０６ｄをコピー面設定ボタン１０７ｄの領域に重なるように変形および移動させつつフェードアウトさせるとともにその過程においてコピー面設定ボタン１０７ｄをフェードインさせる。コピー面設定ボタン１０７ｄは、画面１００におけるコピー面設定ボタン１００ｄと同様の機能を有するボタンである。すなわちコピー面設定ボタン１０７ｄは、タップされるとコピー面設定ダイアログを表示させるボタンである。制御部１１は、仕上げ設定ボタン１０６ｇおよび割付設定ボタン１０６ｆを上方に移動させ、仕上げ設定ボタン１０７ｇおよび割付設定ボタン１０７ｆを表示させる。制御部１１は濃度調整部品１０６ｅを右に移動させ濃度調整部品１０７ｅを表示させる。
【００３４】
制御部１１は、カラーモード選択肢ボタン群１０６ｂを左側に移動させながらカラーモードの残りの選択肢に相当する複数のボタンをフェードインさせてカラーモード選択肢ボタン群１０７ｂを表示させる。すなわち、カラーモードに設定するパラメーターの選択肢の個数が画面１０７では増加しさらに詳細な設定が可能となる。このように、一度に全ての選択肢を表示せずに、選択される頻度が高いことが予想される選択肢を先に表示させ、詳細化指示操作がさらになされた場合に残りの選択肢を含めた全ての選択肢を表示するようにしてもよい。特に初心者にとっては一度に多くの詳細な選択肢が提示されるよりも、初心者が選択対象としやすい選択肢のみがはじめに提示される方が使い勝手が向上する可能性がある。なお制御部１１は、用紙トレイ選択肢ボタン群１０７ａと倍率設定ボタン群１０７ｃとを画面１０６から変化させない。
【００３５】
続いてユーザーがハンドルＳ２を位置Ｐ５から位置Ｐ６にスライドさせると、スライドさせている途中で制御部１１は画面１０７の表示要素を徐々に変化させ、図４Ｃに示す画面１０８を表示させる。具体的には制御部１１は、画面１０７において表示されていた用紙トレイ選択肢ボタン群１０７ａとカラーモード選択肢ボタン群１０７ｂと倍率設定ボタン群１０７ｃとコピー面設定ボタン１０７ｄと仕上げ設定ボタン１０７ｇと割付設定ボタン１０７ｆと濃度調整部品１０７ｅとを全体的に下方に移動させ、これらの表示要素を新たにフェードインさせた複数のタブ１０８ｈ〜１０８ｌのうちのコピータブ１０８ｈ内にそれぞれが含まれるように表示する。
【００３６】
このように、スライダーＳのハンドルＳ２を位置Ｐ１から位置Ｐ６にスライドさせることにより、ユーザーは少数のボタンのみが表示された簡易な画面から、多数の詳細な選択肢ボタン群や調整部品が表示された画面に、関連する表示要素を認識しながら徐々に遷移させていくことができる。なお、ハンドルＳ２を位置Ｐ６から位置Ｐ１にスライドさせると上述の逆の動きが表示される。ユーザーはハンドルＳ２をスライドさせることによって画面１００，１０３，１０５，１０６，１０７，１０８を昇順または降順に表示させることができる。
【００３７】
２．他の実施形態：
尚、本発明の技術的範囲は、上述した実施例に限定されるものではなく、本発明の要旨を逸脱しない範囲内において種々変更を加え得ることは勿論である。例えば、詳細化指示操作はタッチパネルディスプレイ１２ａの画面上の任意の位置でのピンチアウト操作であってもよく、簡易化指示操作は同画面上の任意の位置でのピンチイン操作であってもよい。ピンチアウトやピンチインに限らず、例えばタッチパネルディスプレイ１２ａに指などでタッチしたまま時計回りに円を描くことによって詳細化指示操作がなされてもよいし、反時計回りに円を描くことによって簡易化指示操作がなされてもよい。また、キー入力部１２ｂのいずれかのキーによって詳細化指示操作や簡易化指示操作がなされてもよい。キー入力部１２ｂに対する操作とタッチパネルディスプレイ１２ａに対する操作との併用によって詳細化指示操作や簡易化指示操作がなされてもよい。
【００３８】
また、上記実施形態では本発明がＭＦＰに適用される場合の実施態様を説明したが、もちろんＭＦＰ以外にも様々な電子機器に本発明を適用可能である。例えば電子機器としてＰＣ（Personal Computer）に本発明が適用されてもよい。その場合、表示制御部は外部の表示装置の画面にグラフィカルユーザーインターフェースを表示させる構成であってもよい。また、受付部は外部の入力装置からの入力を受け付ける構成であってもよい。
【００３９】
また、上記実施形態では、関連する一次表示要素と二次表示要素とが共有する視覚的特徴の例として、ボタンを示す図形内に表示される文字以外の領域の色（背景色）が関連する一次表示要素と二次表示要素とで同じである（他の関連する一次表示要素と二次表示要素の背景色とは異なる）ことを説明したが、視覚的特徴としては他にも様々な態様が考えられる。例えば、関連する一次表示要素と二次表示要素の組み合わせごとに色相が異なり同一の組み合わせに属する一次表示要素と二次表示要素は同一の色相で表示される構成でもよい。また例えば、関連する一次表示要素と二次表示要素の組み合わせごとに共通の図柄（マーク、アイコン）が設定され関連する一次表示要素および二次表示要素はその図柄を含んで表示され、当該図柄は他の組み合わせが採用する図柄とは識別可能である構成であってもよい。
【００４０】
上記実施形態では、スライダーＳのハンドルＳ２が位置Ｐ１〜Ｐ６のいずれかに停止している場合に対応する各画面のボタンに対するタップを受け付ける構成であるが、画面の遷移途中（動きを表示させている途中）にユーザーのボタンに対する操作を受け付けることができてもよい。
【００４１】
また、一次表示要素が複数の二次表示要素を生じさせる動きや、複数の二次表示要素が一次表示要素を生じさせる動きは、上記実施形態で例示した態様にもちろん限定されるわけではなく、ユーザーに互いの関連を認識させることができる様々なアニメーション効果や映像効果を採用してよい。なお一次表示要素から二次表示要素を生じる場合、第二画面において一次表示要素が残存していてもよい。すなわち第二画面において一次表示要素および対応する複数の二次表示要素が共に表示されていてもよい。
【符号の説明】
【００４２】
１…ＭＦＰ、１１…制御部、１２…ユーザーＩ／Ｆ部、１２ａ…タッチパネルディスプレイ、１２ｂ…キー入力部、１３…印刷部、１４…画像読取部、１５…通信Ｉ／Ｆ部、１００ａ・１０３ａ・１０５ａ…用紙トレイ設定ボタン、１００ｂ…カラーモード設定ボタン、１００ｃ・１０３ｃ…倍率選択ボタン、１００ｄ・１０７ｄ・１０８ｄ…コピー面設定ボタン、１０１…カラーモード設定ダイアログ、１０３ｂ・１０５ｂ・１０６ｂ・１０７ｂ・１０８ｂ…カラーモード選択肢ボタン群、１０３ｄ・１０６ｄ…コピー面選択肢ボタン群、１０３ｅ・１０５ｅ・１０６ｅ・１０７ｅ・１０８ｅ…濃度調整部品、１０３ｆ・１０５ｆ・１０６ｆ・１０７ｆ・１０８ｆ…割付設定ボタン、１０３ｇ・１０５ｇ・１０６ｇ・１０７ｇ・１０８ｇ…仕上げ設定ボタン、１０５ｃ・１０６ｃ・１０７ｃ・１０８ｃ…倍率設定ボタン群、１０５ｃ１…倍率調整部品、１０６ａ・１０７ａ・１０８ａ…用紙トレイ選択肢ボタン群、１０８ｈ〜１０８ｌ…タブ、Ｐ１〜Ｐ６…位置、Ｓ…スライダー、Ｓ１…トラック、Ｓ２…ハンドル
【図１】
2016057731.tif 000003
【図２】
2016057731.tif 000004
【図３】
2016057731.tif 000005
【図４】
2016057731.tif 000006